Podtech/llm-jp-corpus-v4-ja_patent huggingface dataset:
(57)【要約】      （修正有）【課題】熱による溶解状態であっても再接着に至らないヒートカッター刃を提供する。【解決手段】カット作業に使用するヒートカッター刃ＦのブレードＥ片面のみに、切断方向と平行に波状の凹凸を施し、切断後閉じた切断両面の形状を変えることにより、双方の切断面に隙間を作り、再接着に至らないものとした。【選択図】図５
2020203060.tif 000002
【特許請求の範囲】
【請求項１】
印刷用樹脂版等、粘性と弾性を有する板状樹脂素材のトリミング作業に使用するヒートカッター刃ブレードの片面のみに、切断方向と平行に波状の凹凸を施し、カット後切断面の密着による再接着を防止する工夫をした事を特徴としたヒートカッター刃。
【発明の詳細な説明】
【技術分野】
【０００１】  本発明はダンボール等の印刷用フレキソ製版に関するものであり、板状樹脂版の非画像部（不要部）を切断除去するトリミング工程に使用するヒートカッターの刃を工夫することにより、当該作業の効率化と機械化を可能にするものである。
【背景技術】
【０００２】  従来から、ダンボール印刷は印刷面の凹凸に対応させる必要性から厚みが３ｍｍ〜７ｍｍ位の弾性を備えた感光性樹脂凸版で、そのほとんどが印刷されている。
感光性樹脂版は液状と板状に分けられており、ネガフイルムやレーザーを用いて印刷画像部に紫外光を照射させ感光により固形化させて凸部を形成している。
凹部となる非画像部の除去は、液状の場合流し落とす事でトリミングの必要は無い、板状は厚版と言われる厚みが４ミリ以上の場合トリミングが必要で、ヒートカッターで切断してめくり剥がし、画像部周りの細かい部分は溶剤とブラッシングで洗い落とした後、全面露光で仕上げている。
板状の３ミリ以下の薄版と言われる版材は、軽量なことに加え非画像部の残存樹脂部分も薄く、トリミング仕様になっていない。
この厚版のトリミングは日本と一部の国でのみ行われており世界の大勢は、薄版が主流である。
いずれの場合も版の形状安定性のため画像部の樹脂を支える底面のベースフイルムは敷いた状態にある。
尚、トリミング作業の必要性は、
１．非画像部にインキが付着しやすく、印刷汚れの防止。
２．印版重量の軽量化。
３．溶剤疲労（汚れ）の軽減化。
４．ブラッシング（洗い落し）時間の短縮化。
等であり、厚版の板状樹脂製版作業に於いては、欠かせない工程となっている。
（図１、図２参照）
【発明の開示】
【発明が解決しようとする課題】
【０００３】  現在、フレキソ製版作業も機械化され効率化は進んでいるがこのトリミング作業はいまだに経験を積んだ職人の技術に依存している状態である。
トリミングの機械化が難しいとされる原因として、
ヒートカット後、数分の経過で切り口面同士が密着し、加熱した切断面が溶解している事から再接着してしまう現象が発生する、とりわけ広い範囲のヒートカットは時間を要する為、切断とめくりを交互に行う必要がある。
このことから、トリミングの効率化や機械化が進まない課題が存在している。（図３、図４参照）
【課題を解決するための手段】
【０００４】この課題を解決する為、請求項１の発明は、粘性と弾性を有する板状樹脂素材の非露光部のカット作業に使用するヒートカッター刃ブレードの片面のみに、切断方向と平行に波状の凹凸を施し、切断後の切断両面の形状を変えることにより、切断面が閉じた際に双方の間に隙間が生じ、熱による溶解状態であっても再接着に至らない工夫をした。（図５、図６参照）
【発明の効果】
【０００５】  本発明のカッター刃を使用することにより、手作業の場合は、カッテングの途中でも電話応対など、他の作業が可能になる。
更にカッテング機による自動化が実現可能となり、
１．作業の迅速化。
２．作業の高精度化。
３．人材不足の解消。
４．ヒートカット時に僅かに発生する有害ガスの吸引や火傷防止等、作業環境の良化。
５．板状樹脂製版の全工程自動化が実現する。
これらの効果により板状樹脂製版作業の革命的な改善に寄与できるものである。
【発明を実施するための最良の形態】
【０００６】  ヒートカッター刃の最良の形態は、両刃で刃の厚みは厚く、非画像部をめくりとる側のブレードを薄くすることにより、画像部の土台となる立ち上げ角度を底広がりの台形にすることで安定した構造となる。
かつ、非画像部側のブレードに切断方向と平行に波状の凹凸を設け、画像部側との切断形状が異なる事で切断後に切り口が閉じても密着を防ぐ隙間が生じ、再接着を防ぐことができる。
更に刃先をわずかに潰し、ベースフイルムの切断を防ぐ。
素材は真鍮や鉄など従来製品と同様でよい。
（図５、図６参照）
【産業上の利用可能性】
【０００７】  段ボールの需要は年毎に増加しており、今後も需要の広まりは続くと予測されている。
従って段ボール製品の製造機器は、近年著しい進化を遂げているが、段ボール印刷の主要製品である製版の分野では前記のとおり、経験のある職人的な技術に頼る面があり、今後の人材難が予測されている今日、段ボール産業の安定した発展のためにも一日も早い板状樹脂製版の機械化実現が期待されており、産業上の利用可能性は極めて高い。
【図面の簡単な説明】
【０００８】
【図１】  （１）板状樹脂版で薄版の完成斜視図である。（２）同、薄版の完成断面図である。
【図２】  （１）板状樹脂版で厚版の完成斜視図である。（２）同、厚版の非画像部の捲り断面図である。（３）同、厚版の完成断面図である。
【図３】  （１）ヒートカット作業の斜視図である。
【図４】  （１）従来刃の横側断面図である。（２）従来刃の刃側正面から見た断面図である。（３）従来刃で切断した樹脂版の断面図である。
【図５】  （１）当該発明刃の横側断面図である。（２）同、刃側正面から見た断面図である。
【図６】  （１）当該発明刃で切断した樹脂版の断面図である。（２）同刃で切断した樹脂版の非画像部の捲り断面図である。
【符号の説明】
【０００９】    Ａ．画像部
Ｂ．非画像部
Ｃ．画像部立ち上げ壁面（ショルダー）
Ｄ．ベースフイルム
Ｅ．刃のブレード
Ｆ．刃
Ｇ．切断部
Ｈ．カッターブレードの凹部
Ｉ．ヒートカッター
【図１】
2020203060.tif 000003
【図２】
2020203060.tif 000004
【図３】
2020203060.tif 000005
【図４】
2020203060.tif 000006
【図５】
2020203060.tif 000007
【図６】
2020203060.tif 000008
(57)【要約】      （修正有）【課題】地域によっては元気な方々がサークル活動として広い場所で吹矢を行っているサークルが多々ある。しかしながら、吹矢の吹筒は１メートル前後と長く価格も高価である。矢も高価で、先端が尖り標的に強く刺さるので、広い場所と安全対策が必要とされている。幼児から高齢者まで、狭い場所でも安全に使用できる遊具を提供する。【解決手段】腹式呼吸の有酸素運動を狭い場所でも安全で手軽にゲームとして行いながら、知らず知らずのうちに深呼吸を繰り返し腹式呼吸できるようにしたものである。吹矢セットを構成する吹筒本体１は内径１０ミリメートル程度で、長さ３０センチメートル前後、薄い合成樹脂製とし、矢２は吹筒内径内に挿入可能な大きさの繊維毛球で形成された柔らかい毛球とした。柔らかい起毛状態の布製標的３や、紙製で立位形状の標的４を用いて使用できる吹矢セットとした。【選択図】図１
2020203059.tif 000002
【特許請求の範囲】
【請求項１】
吹矢セットを構成する吹筒本体（１）は内径１０ミリメートル程度で、長さ３０センチメートル前後、薄い合成樹脂製とし、矢（２）は吹筒内径内に挿入可能な大きさの繊維毛球で形成され、起毛状態の布製標的（３）や、紙製で立位形状の標的（４）を用いて使用できることを特徴とする吹矢セット。
【発明の詳細な説明】
【技術分野】
【０００１】  本発明は幼児から高齢者まで、狭い場所でも安全に使用できる遊具に関するものである。
【背景技術】
【０００２】  近年では、高齢者の増加に伴い健康への関心が高まっており、散歩や体操に参加する方も多いが、歩くと直ぐに息が苦しくなったり、食事をすると喉に物が痞えたりと呼吸器機関の衰えを気に留める場合もある。  そこで、呼吸機能を向上させる運動も多く紹介されている。
その一つに、腹式呼吸を取り入れたもので、古来より狩猟に用いられてきた吹矢の動作を取り入れた方法が各地域でも行われている。
しかしながら、吹矢の吹筒は１メートル前後と長く高価で、矢は先端が尖り標的に強く刺さるので、広い場所と安全対策が必要とされている。
【発明の概要】
【発明が解決しようとする課題】
【０００３】  高齢者にとって、息切れや誤嚥性肺炎の予防として深呼吸、腹式呼吸の必要性を感じてはいるが、毎日の運動やスポーツとどう結び付け実施するかが課題となる。
地域によっては元気な方々がサークル活動として広い場所で吹矢を行っているサークルが多々ある。
しかしながら、吹矢の吹筒は１メートル前後と長く価格も高価である。  矢も高価で、先端が尖り標的に強く刺さるので、広い場所と安全対策が必要とされている。
【課題を解決するための手段】
【０００４】  本発明は腹式呼吸の有酸素運動を狭い場所でも安全で手軽にゲームとして行いながら、知らず知らずのうちに深呼吸を繰り返し腹式呼吸できるにしたものである。
吹矢セットを構成する吹筒本体（１）は内径１０ミリメートル程度で、長さ３０センチメートル前後、薄い合成樹脂製とし、矢（２）は吹筒内径内に挿入可能な大きさの繊維毛球で形成された柔らかい毛球とした。  柔らかい起毛状態の布製標的（３）や、紙製で立位形状の標的（４）を用いて使用できる吹矢セットとした。
【発明の効果】
【０００５】  本発明の吹矢を行うには、まず、吹筒の先端に毛球を挿入する。  次に、大きく息を吸い込んで息を止め、標的を狙って一気に息を吹き出す。
横隔膜を使った腹式呼吸の有酸素運動で、一回のゲームで５回から１０回程度行うが、その回数分の深呼吸をしたことになります。
何回も、何日も繰り返すことが必要ですが、知らず知らずのうちに深呼吸をして、肺機能の向上につながり、肺活量も増えて肺年齢も若返ったり、喉や口の中の筋肉もつかうので、誤嚥性肺炎の予防にもつながる。
【図面の簡単な説明】
【０００６】
【図１】  本発明の一実施例を示す斜視図。
【図２】  本発明の実施例を示す斜視図。
【発明を実施する為の形態】
【０００７】  以下、本発明の実施の形態について説明する。
吹矢セットを構成する吹筒本体（１）は内径１０ミリメートル程度で、長さ３０センチメートル前後、薄い合成樹脂製とし、矢（２）は吹筒内径内に挿入可能な大きさの繊維毛球で形成された柔らかい毛球、起毛状態の布製標的（３）や、紙製で立位形状の標的（４）を用いて使用できる吹矢セットとした。
従来型の吹矢の吹筒は１メートル前後と長く高価で、矢は先端が尖り標的に強く刺さり、広い場所と安全対策が必要とされているので、幼児や高齢者が扱うのは難しく、狭い場所や机上での使用は無理であった。
吹筒（１）を軽く短くすることで幼児でも高齢者でも持つことができ、片手が不自由な方でも楽に保持できる。  矢（２）を軽く軟らかい毛球としたことで、遠くには飛ばないが、仮に当たっても痛くなく机上でも使用でき、椅子や車椅子に座っても参加できる。  また、毛球はカラフルに揃えられるので高齢者でも判別し易く、吹筒も矢も安価で提供でき、多人数で参加できる。
布製標的（３）は壁や三脚（５）で使用し易い高さに設置するが、起毛状態であるので、矢として吹き出された毛球が絡まって標的面に付着する。
紙製の立体形状の標的（４）は軽く、矢として吹き出された毛球に当たると倒れる。
【実施例】
【０００８】  本発明吹矢セットは、高齢者施設で使用しながら知らず知らずのうちに深呼吸をして、肺機能の向上につながり、肺活量も増え、誤嚥性肺炎の予防にもつながるゲームとした。
吹筒（１）を軽く短くすることで安全で幼児や高齢者が片手で保持できる。
矢（２）を軽く軟らかいカラフルな毛球としたことで、遠くには飛ばないが、仮に当たっても痛くなく高齢者でも判別し易く、吹筒も矢も安価で提供でき、多人数で参加できる。
布製標的（３）は壁や三脚で使用し易い高さに設置するが机上でも設置でき、起毛状態である為に軽い矢の毛球が絡まって標的面に付着して得点となる。
立体形状の標的（４）は矢に当たると倒れて得点となる。
ゲーム終了後、使用した吹筒は水洗、乾燥させ再度使用する。
【符号の説明】
【０００９】        １        吹筒
２        矢
３        布製標的
４        標的
５        三脚
【図１】
2020203059.tif 000003
【図２】
2020203059.tif 000004
(57)【要約】【課題】長時間のサイクリングであっても、性器・前立腺・会陰部に負荷・圧迫を与えない事により、苦痛・不快感を取り除いたサドルを提供する。【解決手段】左右分離独立したサドルにより大腿部で体重を支持することにより、性器・前立腺・会陰部に生じる負荷・圧迫・不快感・苦痛を確実に除去できる。【選択図】図１
2020203660.tif 000002
【特許請求の範囲】
【請求項１】
前立腺、性器、会陰部に接触又は圧迫する部分を有しない。
【請求項２】
サドル後端部下部にサドルと連結する蝶番軸構造を有する。
【請求項３】
右サドルと左サドルは蝶番軸により連結される構造を有する。
【請求項４】
サドルは左右に分離して配置されている構造を有する。
【請求項５】
各サドルは左右個別に蝶番運動をする構造を有する。
【請求項６】
各サドルは大腿部裏側に密着して体重を支持する構造を有する。
【発明の詳細な説明】
【技術分野】
【０００１】本発明は、サドルにかかる体重を大腿部で支持して、性器・前立腺・会陰部に対する圧迫・苦痛・不快感を除去するサドルに関する。
【背景技術】
【０００２】図に示すように左右独立した動きのサドルが大腿部で体重を支持する、性器・前立腺・会陰部に対する圧迫・苦痛・不快感から解放する、左右個別に脚の動きに追従した蝶番運動を行う。
【先行技術文献】
【特許文献】
【０００３】
【特許文献１】特表２０１４−５０４９８５（Ｐ２０１４−５０４９８５Ａ）
【０００４】
【特許文献２】特表２０１９−５０３３０５（Ｐ２０１９−５０３３０５Ａ）
【０００５】
【特許文献３】実用新案登録第３１６６３５３号（Ｕ３１６６３５３）
【非特許文献】
【発明の概要】
【発明が解決しようとする課題】
【０００６】従来のサドルによれば、性器・前立腺・会陰部で体重を支持している、よって苦痛・不快感が発生する。
【課題を解決するための手段】
【０００７】本発明は、大腿部で体重を支持する左右分離したサドルにより、性器・前立腺・会陰部に対する圧迫・接触が発生しない。
【発明の効果】
【０００８】長時間サイクリングによる性器・前立腺・会陰部に苦痛・不快感が発生せず、精神的・肉体的に不必要な消耗を回避する。
【図面の簡単な説明】
【０００９】
【図１】  本発明に係わるサドルの側面図である。
【図２】  本発明に係わるサドルの上方からの俯瞰図である。
【発明を実施するための形態】
【００１０】図において右サドルと左サドルは後方に有する軸を中心にして蝶番運動を行い大腿部の動きを左右個別に実行してコイル状の開きバネにより追従する構造である。
【符号の説明】
【００１１】１    サドル
２    連結軸
３    可動域
４    自転車フレーム
【図１】
2020203660.tif 000003
【図２】
2020203660.tif 000004
(57)【要約】      （修正有）【課題】有効成分をできるだけ多く使うことで美容効果を高めた化粧品であって、朝昼夜それぞれに対応した複合型の女性向け美容化粧品の提供。【解決手段】ヒト幹細胞培養液、アセチルジペプチド−１セチル、アセチルテトラペプチド−２、トリフルオロアセチルトリペプチド−２（プロジェリン）、ビログルタミルアミドエチルインドール（ＧＬＵＴＲＡペプチド）、ニコチンアミドアデニンジヌクレオチド、アセチルヘキサペプチド−８（アルジレリン）、ナールスゲンの１つ以上の老化予防効果の期待できる成分を含んだ３つの化粧品で構成された複合化粧品。【選択図】なし【特許請求の範囲】
【請求項１】
ヒト幹細胞培養液、アセチルジペプチド−１  セチル、アセチルテトラペプチド−２、トリフルオロアセチルトリペプチド−２（プロジェリン），ビログルタミルアミドエチルインドール（ＧＬＵＴＲＡペプチド）、ニコチンアミドアデニンジヌクレオチド、アセチルヘキサペプチド−８（アルジレリン）、ナールスゲンの１つ以上の老化予防効果の期待できる成分を含んだ３つの化粧品で構成された複合化粧品。
【請求項２】
α−アルブチン、シムホワイト３７７、ポリアミン、コメ発酵液のうち１つ以上の肌を整える成分を含む請求項１の３つの化粧品で構成された複合化粧品。
【請求項３】
上記請求項の３つの複合化粧品は、化粧下地美容液、化粧水、カプセル美容液である請求項１の複合化粧品。
【発明の詳細な説明】
【発明の詳細な説明】
【技術分野】
【０００１】本発明は女性向け美容化粧品に関するものである。
【技術背景】
【０００２】昨今、女性向け美容化粧品は新たな素材を添加することでの差別化を目指している。しかし、実際には化粧品に添加している有効成分は１％どころか、３００ｍｌ程度の化粧品０．１ｍｌ程度も含まれていないものが殆どである。
【０００３】これらについて考えられることは、原価コストによるものといえる。実際、大手の化粧品は広告費用にコストの殆どを費やして、高価な有効成分についてはできるだけ抑える方向にある。本発明においては、有効成分をできるだけ多く使うことで、美容効果を優先した。
【０００４】更に、相互の成分が有効には作用するために、下地美容液、化粧水、カプセル型美容液という３種類の化粧品を作り、それらを一日の朝昼夜という生活における時間に対応した複合型の化粧品を発明した。
【先行技術文献】
【０００５】特開２０１０−２８０６９２
【発明を解決しようとする課題】
【０００６】一日を通して美容効果を持たせる為には、ある程度の時間間隔、例えば、８時間ごとに有効成分を肌になじませる必要がある。しかし、朝起きたとき、昼の多忙な時、夜寝る前では大きく生活環境が異なり、同じような処方では効果が半減してしまう可能性もある。更に多忙な昼などは外出先でも使いる工夫が必要となる。
【課題を解決する為の手段】
【０００７】本発明では朝に用いる化粧水、昼に用いる下地クリーム、夜寝る前に用いるカプセル型美容液、更に夜には朝用いた化粧水を使うことで一日持続した効果を期待できるように３つの化粧品の組み合わせを考えた。
【０００８】昼用いる下地クリームは、持ち運びしやすいように携帯型の注射器タイプ（針のないもの）とし、外出先でも手軽に使用できるようにした。
【０００９】有効成分としては、老化防止効果のあるヒト幹細胞培養液、アセチルジペプチド−１  セチル、アセチルテトラペプチド−２、トリフルオロアセチルトリペプチド−２（プロジェリン），ビログルタミルアミドエチルインドール（ＧＬＵＴＲＡペプチド）、ニコチンアミドアデニンジヌクレオチド、アセチルヘキサペプチド−８（アルジレリン）、ナールスゲンを添加した。
また、肌を整える成分としては、α−アルブチン、シムホワイト３７７、ポリアミン、コメ発酵液を添加した。これら成分は少量でも効力はあるが、すべてのものが１％以上の含有率となっている。
【図面の簡単な説明】
【００１０】
【図１】  図１は化粧水である。
【図２】  図２は下地美容液である。
【図３】  図３はカプセル型美容液である。
【実施例１】
【００１１】化粧水（図１）を朝と夜、下地美容液（図２）を昼、カプセル型美容液（図３）と化粧水を用いた。朝の美容液は肌に潤いを与え、昼の下地美容液は肌のたるみを抑制し、夜のカプセル型美容液は睡眠中の肌の回復に効果があった。【００１２】昼用の下地美容液はバックに入り携帯しやすく、押し出すように手のひらにとって簡便な使用が可能なものとなった。【００１３】有効成分として、ヒト幹細胞培養液、アセチルジペプチド−１  セチル、アセチルテトラペプチド−２、トリフルオロアセチルトリペプチド−２（プロジェリン），ビログルタミルアミドエチルインドール（ＧＬＵＴＲＡペプチド）、ニコチンアミドアデニンジヌクレオチド、アセチルヘキサペプチド−８（アルジレリン）、ナールスゲンの老化防止効果。【００１４】α−アルブチン、シムホワイト３７７、ポリアミン、コメ発酵液の肌を整える効果によって、大きな効果が見られた。
【図１】
2020203870.tif 000002
【図２】
2020203870.tif 000003
【図３】
2020203870.tif 000004
(57)【要約】【課題】天然髪染め剤として使用されるヘナ及びインディゴの生葉からの抽出物において、ユーザーが望む色にするとともに、色もちや発色を良くすることにある。この色素は安全で、無毒、抗アレルギー性、ふけ防止性であり、かゆみのような有害な徴候がない。この色素は暗色で、この 組成物は化粧品として、また毛髪の美化に、粉末／クリーム／ ペースト／オイルの形態で使用される。【解決手段】天然髪染め剤として使用されるヘナ及びインディゴを摘み取った生葉を、そのままか粉砕をする。生葉の２〜１０倍量の水または３０〜１００℃の温度の温水の抽出物である。これらの抽出物を含む粉末／クリーム／ ペースト／オイルの形態の化粧品として使用される。生葉によるヘナ抽出を含む化粧品を毛髪に塗布した後に、生葉によるインディゴ抽出を含む化粧品を塗布し茶色から黒色に発色させて美化する。【選択図】なし【特許請求の範囲】
【請求項１】
天然髪染め素原料であるヘナやインディゴの乾燥せずに生葉からの抽出する溶液を主剤とすることを特徴とする。毛髪や頭皮に対して低刺激で、艶を与え自然な発色を与える髪染め剤。
【請求項２】
ヘナ生葉及びインディゴ生葉をそれぞれ破砕し、３０℃から１００℃の温水中に浸漬した抽出水溶液からなることを特徴とする粉末／クリーム／ ペースト／オイルの形態の髪染め剤として使用される。
【請求項３】
ヘナ生葉及びインディゴ生葉をそれぞれ破砕し、２倍から１０倍の温水中で攪拌し抽出した水溶液をなることを特徴とする粉末／クリーム／ ペースト／オイルの形態の髪染め剤として使用される。最初にヘナ生葉抽出水溶液配合の髪染め剤を毛髪に塗布し、一定時間放置した後に、インディゴ生葉抽出水溶液の髪染め剤を塗布して発色させる。
【発明の詳細な説明】
【技術分野】
【０００１】
本発明はヘナおよびインディゴの生葉の抽出水からなる毛髪頭皮に安全で、色持ちや発色を良くする天然髪染め剤である。
【背景技術】
【０００２】
近年の天然志向のブームにのって、美容室でも天然髪染め剤の役割が見直されてきており、毛髪頭皮の安全性向上を目的として、様々な種類のヘナなどを髪染め剤の開発が進められている（特許文献１〜４参照） 。
【先行技術文献】
【特許文献】
【０００３】
【特許文献１】特開２０１０−１４３８９８号
【特許文献２】特開２０１０−２０９０３７号
【特許文献３】特開２０１５−１２４１５７号
【特許文献４】特開２０１７−１８６２７３号
【発明の開示】
【発明が解決しようとする課題】
【０００４】
ヘナなどの天然髪染め剤を製造するためには、その栽培地が亜熱帯気候地域に限られインドなど海外から乾燥された葉をもとにした粉末が素原料であった。そのため品質にバラつきがあり発色の違いがしばしば問題になった。さらに、施術に時間を要して発色が弱いために、美容室などでは他の塩基性色素など合成色素配合して施術をし、製品そのものにも合成色素を配合している製剤もありへナ安全性の信用を著しく低下させることになった。
高齢化社会になった現在、天然髪染め剤の安全性を保ちつつ  ユーザーが望む色にするとともに、色もちや発色を良くすることのできるヘナとインディゴによる髪染め剤の開発が必要とされていた。
【０００５】
本発明の目的は、日本で唯一の亜熱帯気候にある沖縄産のヘナとインディゴを用いることで、輸送のために乾燥する必要がなく、産地から直接採取される生葉を用いて発色が能く安全な髪染め剤を提供することにある。乾燥させずに国産の生葉を使用することで、栽培から無農薬などに管理された生葉の生産が可能となり、ヘナ、インディゴの色素を安全に使用しインドなど外来種と安心面でも区別することができる。また、色持ちや発色に優れている天然髪染め剤を提供することにある。
【課題を解決するための手段】
【０００６】
本発明は、栽培直後の生葉のヘナ、インディゴを破砕し、温水中に浸漬した抽出液を配合し、表面処理した粉末／クリーム／ ペースト／オイルの形態の天然髪染め剤である。特にヘナやインディゴの生葉を、３０℃から１００℃の温水中に浸漬した抽出水溶液からなることを特徴とする。また、ヘナ生葉及びインディゴ生葉をそれぞれ破砕し、２倍から１０倍の温水中で攪拌し抽出した水溶液をなることを特徴とする粉末／クリーム／ ペースト／オイルの形態の髪染め剤として使用される。最初にヘナ生葉抽出水溶液配合の髪染め剤を毛髪に塗布し、一定時間放置した後に、インディゴ生葉抽出水溶液の髪染め剤を塗布して発色させる。
【発明の効果】
【０００７】
以上の通り、本発明によれば、ヘナ及びインディゴ葉の原料を陰干しにより１〜１０％に乾燥しないで、生葉のままか、所定の細かさにカッティングし、カッティングされた生葉を３０〜１００℃の所定温度の２倍から１０倍量のお湯に浸漬させてヘナ及びインディゴの生葉に所定の水分を含ませ濾過抽出した水溶液をそれぞれの生葉からの素原料とする。この生葉抽出水溶液を、粉体表面に噴霧するか、水溶性高分子でゲル化または植物性オイルと乳化剤でクリームにして天然髪染め剤とする。
ヘナ・インディゴの生葉からのローソンなどの染毛成分を有効に抽出することができ、安全で、無毒、抗アレルギー性、ふけ防止性であり、かゆみのような有害な徴候がない。優れた発色性を保ちながらトリーメント効果のある天然髪染め剤ができる。
【実施例】
【０００８】
本発明の実施例によるヘナ及びインディゴの生葉からの抽出水溶液による天然髪染め剤は、生葉を家庭用ミキサーに入れて３倍程度の沸騰水（８０℃以上）で
１分間混ぜて濾過し色素成分を含む抽出水溶液とする。
それぞれの生葉から水溶液は水溶性高分子（キサンタンガム）１％で増粘させて、ヘナとインディゴの生葉ジェルの天然染毛剤を得られた。
【０００９】
上記のヘナ生葉抽出ジェルとインディゴ生葉ジェルを３名の人に髪染めしてもらった。その結果は以下の通りである。
１．沖縄県那覇市  ４０歳代の女性会社員
使用前          頭頂部分け目の毛髪の根元部分が白くなる
使用期間        令和元年５月６日
使用方法        ヘナ生葉ジェル３０分後にインディゴ生葉ジェル放置
使用後          しっかりのブラウンに染まり、白髪が目立たない。
２．沖縄県うるま市  ３０歳代女性販売員
使用前          揉み上げ部分が白くなる。
使用期間        令和元年６月１日
使用方法        ヘナ生葉ジェル３０分後にインディゴ生葉ジェル３０分後の洗髪
使用後          肌荒れ、かゆみが少なくなった。黒色に染まり白髪が目立たない。
３．沖縄県中頭郡西原町  ３０歳代女性スーパーの調理人
使用前          これまでの染毛剤で頭皮の荒れがひどかった。毛先より毛根部分が染まり難い。
使用期間        令和元年６ヘナ月３日
使用方法        ヘナ生葉ジェル後にすぐにインディゴ生葉ジェルを４５分放置後に洗髪
使用後          肌荒れは少なくなり、かゆみが治まった。毛根と同様に毛先も白髪、ブラウンに染まった。
(57)【要約】      （修正有）【課題】材料を密着させ接合する作業で、接着剤塗布作業するにあたり、塗布先端部分の接着剤の硬化による塗布時の出にくい状態と、目に見えにくい接着剤の塊（ボトル内部）の塗布をしてしまうため、密着精度が失われてしまう。塗布先を上向きに立てておくと、ボトル内残量の少量化が進み、塗布時の空吹かしが起る。キャップの密着精度の低さから、貯蓄接着剤の内部硬化による、消費が無駄に増えている。消費の無駄を無くすためのＰＲＯボトルを提供する。【解決手段】先端キャップの形状を、ネジ式開閉形状にし密着精度と確認を可能にし、塗布時のキャップを、紛失防止のために、キャップ内掃除も備えた形状のキャップ保持パーツを備える。先端キャップの他に、さらに本体保持キャップを追加し、台の上に逆さに置いておくことを可能にする。ボトル底面に、吊り下げ可能なリング形状の可動式リングを備え逆さに吊るすことを可能にするＰＲＯボトル。【選択図】図１
2020203723.tif 000002
【特許請求の範囲】
【請求項１】
（イ）接着剤ボトルに、塗布先端似のリブ付き形状の保持パーツ（１）を設け、キャップ内と塗布先に付着して固まる残接着剤の撤去処理と、キャップの紛失なしの効果を生む機能を備える。
（ロ）接着剤ボトルの底面にリング可動式（２）を設け、内部の接着剤の底面寄り集まりを失くし、フックに引っ掛けて、下げておく事が可能になり、保管時、作業時に、腰に下げておく事も可能になるため、作業効率を生む機能を備える。
（ハ）接着剤ボトルに、ボトル本体保持大キャップ（３）を、取り付け可能にし、保管時は、２重になるキャップとして、先端の保護になり、塗布作業時は、ボトルを置いておく時に、先端側を下向きに置いておける機能を備える
上記の（イ）（ロ）（ハ）を、全て備えるのが条件ではなく、それぞれ単体備えでも、上記の形状効果の機能を備えるボトル。
【発明の詳細な説明】
【技術分野】
【０００１】この発明は、木工用等の接着剤ボトルのキャップを、付け外し時の正確な密着をすることで、接着剤のボトル内硬化を抑え、外したキャップを固定保持しつつ、キャップ内部に固まる、はみ出した接着剤を、綺麗に剥離する機能を持たし、底側が上を向いた状態で、置く、または、ぶら下げる事により、接着剤の塗布時の、空吹かしがなくなるので、効率、長持ちの最大の恩恵形状である。
【背景の技術】
【００２】従来、木工用接着剤として使われていた接着剤ボトル
【先行技術文献】
【特許文献】
【発明の概要】
【発明が解決しようとする課題】
【００４】これは、次のような欠点があった。
（イ）  ボトルのキャップが、スっと、はめるだけの形状により密着の確認できずに、はまりが浅い時に、本体内部と、キャップ内に付着した接着剤が硬化してしまう。さらに、キャップ内の塊により、キャップができなくなり、キャップの意味がなくなる。
（ロ）  固まった塗布先の塊を撤去しないと、接着剤通路が細くなり、力いっぱい押す必要があるため、塊を撤去すると、先が痛み、内部の接着剤も塊や硬化気味になるため、ボトルの買い替えが早い事になる。
（ハ）  塗布先が、上を向いた状態で置かれる形状で、塗布先の逆の底に接着剤が沈むので、内容量が減ってくると、塗布の際、空気の空吹かしと、少量の接着剤の撒き散らしが起こるため、その現象を抑えるために、塗布先を下に向けてコツコツ叩き寄せるか、ブンブン振って、内部の接着剤を先に集めなければならない。
（ニ）  内部減ってくると、（ハ）の状態になる状態を懸念するため、残りがまだまだある状態で、詰め替えを補充する。を繰り返すと、底よりの内部に使われずに、古くなった接着剤が残っている状態になる。接着効果も疑われる。使い切る事が大切。
本発明は、以上のような欠点をなくし、接着剤の効果、作業効率、長持ち（エコ）を導くためになされたものである。
【課題を解決するための手段】
【０００５】（イ）（ロ）  対策  キャップの形状を、ネジ式形状にし、締まり切るのを確認できるようにする。外したキャップを保持するためと、キャップ内部の付着接着剤の撤去のできる、塗布先端似のリブ付き形状のキャップ保持パーツ（１）を備える。
（ハ）（ニ）  対策  従来のボトルの底になる部分に、フック掛け対応の半円状のリングを、使用時と未使用時（補充時）対応するようにリング可動式格納部分（２）を設置。それとは、別に、更なるキャップを付け、塗布先が下を向いた状態で置ける、ボトル本体保持大キャップ（３）を追加。
本発明は、以上の構成よりなる、ＰＲＯボトルである。
【発明の効果】
【０００６】（イ）  ネジ式キャップにより、接着剤の最善状態で保存できる。
（ロ）  使用時、外したキャップ保持機能及びキャップ内の付着接着剤の掃除を行う。
（ハ）  底面に、リングを備えて、フック等に下げられる。
（ニ）  （イ）のキャップの他に、さらに大きなキャップを付ける事で、塗布の先端側を下向きに、置いておくことができて、接着剤の使い切るまでの、安定塗布が可能。
（ホ）  （ニ）の効果により、ボトルの使用可能期間が、相当可能になるため、地球の為になる。
上記が可能な形状が、作業にハイスピードをもたらし、安定かつ確実な接着効果をもたらす、接着剤ボトルになる。
【図面の簡単な説明】
【０００７】
【図１】各所用途、名称
【図２】ミニキャップの使用方法
【図３】底面リング使用状況、大キャップ使用状況
【発明を実施するための形態】
【０００８】以下、本発明を実施するための形態について説明する。
接着剤ボトルの塗布先に、不具合を起こさないために、密封できるネジ式のキャップ形状を使い、余分な接着剤の撤去をサポートする、保持箇所を備える。内部接着剤の塗布先の逆に沈殿する不具合を起こさないために、大キャップを使って逆さ置きができるようにする。底部には、フック形状の箇所に逆さに吊り下げられる可動式リングを備える。
以上のことにより、塗布効率を上げ、保管処理も確実な処理が行える。
【符号の説明】
【０００９】  （１）  ネジ式キャップ保持パーツ
（２）  可動式リング格納部分
（３）  大キャップ
（４）  ボトル本体
【図１】
2020203723.tif 000003
【図２】
2020203723.tif 000004
【図３】
2020203723.tif 000005
(57)【要約】      （修正有）【課題】薬品を規制する法令が対象として規定するのは化学物質であり、法令と薬品を容易に紐付けることができ、法令情報をデータベースに容易に反映することができる薬品管理システムを提供する。【解決手段】薬品管理システム１は、薬品に関する項目３および法令に関する項目４を予めシステム内のデータベース２に保存した状態にし、保存した情報に該当する部品６を操作画面５に配置する。保存した情報を照合して同じＣＡＳ登録番号を持つ薬品と法令を特定し、部品に当てはめて表示する。また、画面に表示された部品を操作することで特定の薬品に適用される法令の情報が薬品に関する項目として登録される。【選択図】図１
2020181548.tif 000002
【特許請求の範囲】
【請求項１】
法令による規制がどの薬品に適用されるかを薬品管理システムのデータベースに容易に反映する機能。
【発明の詳細な説明】
【技術分野】
【０００１】この発明は、薬品管理システムのユーザーインターフェースに関する。
【背景技術】
【０００２】薬品を規制する法令は、薬品を組成する化学物質に対して定められる。各化学物質には固有のＣＡＳ登録番号が割り振られている。従来の薬品管理システムでは、薬品を規制する法令が施行された場合、１薬品ごとにＣＡＳ登録番号を照合することにより法令適用有無を調べ法令情報の更新を行う。
【発明の概要】
【発明が解決しようとする課題】
【０００３】＜課題１＞
薬品を規制する法令が対象として規定するのは化学物質であり、従来の薬品管理システムでは法令と薬品を紐付けることが煩雑である。
＜課題２＞
従来の薬品管理システムでは、新しい法令が施行された際に対象となる薬品を探し、法令情報をデータベースに反映することが煩雑である。
【課題を解決するための手段】
【０００４】本発明は上記の課題を解決するために、次のような手段を採用する。
＜手段１＞
薬品に関する項目および法令に関する項目をシステム内に保存した状態にする。
＜手段２＞
薬品に関する項目および法令に関する項目に該当する部品を画面に表示する。
＜手段３＞
画面に表示された部品を押すことにより、薬品とＣＡＳ登録番号で紐付けられる法令の情報を薬品に関する項目の一部として登録する。
【発明の効果】
【０００５】本発明は次のようにして課題を解決する。
＜手段１＞により薬品に関する項目および法令に関する項目を予めシステム内に保存した状態にし、保存した情報に該当する部品を＜手段２＞により画面に配置する。
＜手段１＞で保存した情報を照合して同じＣＡＳ登録番号を持つ薬品と法令を特定し、＜手段２＞の部品に当てはめて表示する。以上により＜課題１＞を解決する。また、＜手段３＞で表示された部品を操作することで特定の薬品に適用される法令の情報が薬品に関する項目として登録される。これにより＜課題２＞を解決する。
【図面の簡単な説明】
【０００６】
【図１】＜手段１＞、＜手段２＞、＜手段３＞の実施形態を示すイメージ図である。
【発明を実施するための形態】
【０００７】＜手段１＞、＜手段２＞、＜手段３＞の実施形態を図１に示す。
薬品に関する項目３と法令に関する項目４は＜手段１＞のシステム内に保存する項目を示す。
部品６は薬品に関する項目あるいは法令に関する項目あるいは法令を薬品に適用するためのボタンを示す。
薬品に関する項目３のＣＡＳ登録番号と法令に関する項目４のＣＡＳ登録番号とを照合して等しい番号を持つ薬品と法令の情報を部品６に表示する。
法令を薬品に適用するためのボタンを操作することにより、特定のＣＡＳ登録番号を持つ法令の情報が同一のＣＡＳ登録番号を持つ薬品に登録される。
【符号の説明】
【０００８】１    薬品管理システム
２    データベース
３    薬品に関する項目
４    法令に関する項目
５    操作画面
６    部品
【図１】
2020181548.tif 000003
(57)【要約】【課題】従来の発電システムでは安価で十分な電力の供給ができなかった。【解決手段】永続可能で安価な電力供給を実現する。【特許請求の範囲】
【請求項１】
太陽光を集める端子もしくはセルを作製しその端子の中部にて電機を生成し、その端子もしくはセルを直列に繋ぎ、その連続された端子群もしくはセル群の先端から生じる電気をエネルギー源として発電に利用するソーラーパワー発電の技術。
【発明の詳細な説明】
【技術分野】
【０００１】本発明はソーラーパワー発電の仕組みに関するものである。
【背景技術】
【０００２】従来のソーラーパワー発電の仕組みには十分な電力を供給するだけの電気の生産量がなかった。
【発明の概要】
【発明が解決しようとする課題】
【０００３】近年のオイル不足などによりエネルギーの供給の高騰価及びオイルが無くなる事への不安感が存在する。
【課題を解決するための手段】
【０００４】ソーラーパワーの発電の仕組みを改良する事により安価で供給が長く続くエネルギー源の供給を行う。
【発明の効果】
【０００５】エネルギーの供給が現在よりも安価、安全、又長く続くものとなる。
【発明を実施するための形態】
【０００６】太陽光を集める端子を作る事の出来る最少のサイズにて作製し、その端子を直列に繋ぎ、その連続された端子群の先端から生じるレーザー光をエネルギーとして発電に利用する。
【実施例】
【０００７】家庭用電気を生産する発電所
【産業上の利用可能性】
【０００８】このエネルギー供給の仕組みは安価で危険性が低く、資源の利用が少なくてすむので従来のエネルギーの供給方法と交換されるべきである。
(57)【要約】【課題】ガラス基板のハンドリングを容易にする。【解決手段】表裏に連通する貫通孔２を有するガラス基板１であって、貫通孔２の端部近傍の周囲に、少なくとも１つの欠け部３を有する。好ましくは、欠け部３が、ガラス基板１を一方向にレーザー加工して貫通孔２を形成する際に出口側の端部近傍の周囲に形成された欠け部である。【選択図】図１
2020181623.tif 000002
【特許請求の範囲】
【請求項１】
表裏に連通する貫通孔を有するガラス基板であって、
前記貫通孔の端部近傍の周囲に、少なくとも１つの欠け部を有する。
【請求項２】
請求項１に記載のガラス基板であって、
前記欠け部が、前記ガラス基板を一方向にレーザー加工して貫通孔を形成する際に出口側の端部近傍の周囲に形成された欠け部である。
【発明の詳細な説明】
【技術分野】
【０００１】
本発明は、ハンドリングが容易な貫通孔を有するガラス基板に関する。
【背景技術】
【０００２】
脆いガラス基板を搬送するには、静電力や真空力を利用した吸着装置を用いることが一般的である（例えば、特許文献１参照）。図４に、ガラス基板の搬送方法の一例を示すように、ガラス基板５１は、上側および下側の表面に装着した搬送装置（図示せず）の吸着パッド５２により挟まれた状態で、吸着パッド５２とともに搬送される。なお、５３はガラス基板５１の表裏に連通する貫通孔である。
【先行技術文献】
【特許文献】
【０００３】
【特許文献１】特開２０１３−６９３８０号公報
【発明の概要】
【発明が解決しようとする課題】
【０００４】
ガラス基板５１の表裏の面は平坦性が良好である。そのため、吸着パッド５２を静電力や真空力で吸着してガラス基板５１に装着すると、良好な吸着状態を示す。そして、ガラス基板５１の搬送終了後、吸着パッド５２をガラス基板５１から離脱させるために、静電力や真空力の印加を終了する。しかし、静電力や真空力の印加を終了しても、吸着状態が良好であるがために、吸着パッド５２をガラス基板５１から取り外すことが難しかった。また、ガラス基板５１は脆いため、吸着パッド５２をガラス基板５１から無理に取り外そうとすると、ガラス基板５１が損傷することもあった。そのため、ガラス基板５１のハンドリングが難しかった。
【課題を解決するための手段】
【０００５】
本発明に係るガラス基板は、表裏に連通する貫通孔を有するガラス基板であって、前記貫通孔の端部近傍の周囲に、少なくとも１つの欠け部を有する。
【発明の効果】
【０００６】
本発明の実施形態によれば、ガラス基板の貫通孔の端部近傍の周囲に少なくとも１つの欠け部を有するため、吸着パッドをガラス基板から取り外す際、欠け部に周囲の雰囲気が入り込み吸着パッドの動きだしのきっかけとなる。そのため、吸着パッドをガラス基板から容易に取り外すことができ、ガラス基板のハンドリングが容易になる。
【図面の簡単な説明】
【０００７】
【図１】（ａ）、（ｂ）は、それぞれ、本発明の一実施形態に係るガラス基板の平面図およびそのＡ−Ａ線に沿った断面図である。
【図２】（ａ）、（ｂ）は、それぞれ、本発明の他の実施形態に係るガラス基板の平面図およびそのＡ−Ａ線に沿った断面図である。
【図３】（ａ）、（ｂ）は、それぞれ、本発明例および従来例に係るガラス基板における吸着パッドの取り外し状態を説明するための断面図である。
【図４】従来のガラス基板における吸着パッドの装着状態を示す断面図である。
【発明を実施するための形態】
【０００８】
図１（ａ）、（ｂ）は、それぞれ、本発明の一実施形態に係るガラス基板の平面図およびそのＡ−Ａ線に沿った断面図である。図１（ａ）、（ｂ）に示す例においては、ガラス基板１に上側の表面１ａと下側の表面１ｂとを連通する貫通孔２が形成されている。貫通孔２の下側の表面１ｂ側であって貫通孔２の端部周囲に、４か所の欠け部３が形成されている。
【０００９】
図１（ａ）、（ｂ）に示す例において、欠け部３は４か所に存在するが、この例に限定されるものではなく、少なくとも１か所に欠け部３が形成されていれば、本発明を達成することができる。また、ガラス基板１の大きさ、貫通孔２の大きさ、数、配置なども、特に限定されるものではなく、通常用いられているものを使用することができる。
【００１０】
図２（ａ）、（ｂ）は、それぞれ、本発明の他の実施形態に係るガラス基板の平面図およびそのＡ−Ａ線に沿った断面図である。図２（ａ）、（ｂ）に示す例において、図１（ａ）、（ｂ）と同じ部材には同じ符号を付し、その説明を省略する。図２（ａ）、（ｂ）に示す例では、貫通孔２の端部の全周に１か所の欠け部３が形成されている。
【００１１】
ガラス基板のハンドリングについて、従来例のガラス基板では、図３（ａ）のガラス基板５１の貫通孔５３の端部であるＸ部において、吸着パッド５２とガラス基板５１とが密着しているので、吸着パッド５２をガラス基板５１から取り外すことが難しい。これに対し、上述した本発明に係るガラス基板のハンドリングでは、図３（ｂ）のガラス基板１の貫通孔２の端部であるＸ部において欠け部３が存在する。そのため、吸着パッド１１をガラス基板１から取り外そうとすると、貫通孔２内の気体１２が欠け部３に吸い込まれて浸入し、吸着パッド１１の動きだしの起点となる。よって、吸着パッド１１をガラス基板１から容易に取り外すことができ、ガラス基板１のハンドリングが容易となる。
【００１２】
ガラス基板１において、貫通孔２の端部近傍の周囲に欠け部３を形成する方法については、特に限定されるものではなく、通常用いられている加工方法を利用することができる。例えば、貫通孔２を形成する際にできる欠け部を利用しても良いし、貫通孔２を形成した後に加工して形成することもできる。
【００１３】
この点で、Ｎｄ：ＹＡＧレーザー、エキシマレーザー、パルスＣＯ２レーザーなどを用いて、上側の表面から下側の表面へ高エネルギーで一方向にレーザー加工する際において、通常レーザービームの出口側端部近傍の周囲に形成される欠け部をそのまま利用することが好ましい。
【符号の説明】
【００１４】
１  ガラス基板
１ａ  上側の表面
１ｂ  下側の表面
２  貫通孔
３  欠け部
１１  吸着パッド
１２  貫通孔２内の気体
【図１】
2020181623.tif 000003
【図２】
2020181623.tif 000004
【図３】
2020181623.tif 000005
【図４】
2020181623.tif 000006
(57)【要約】      （修正有）【課題】ＬＥＤライトにより、太陽光による融雪効率を向上させる。【解決手段】黒系色を発するＬＥＤライト１により、近隣の雪２を照射し、雪の反射物体色４を黒系色にする。その条件下注ぐ太陽光５は雪の反射物体色４が黒系化した為、反射６が起きず光が吸収され直進７し雪に浸透し太陽の輻射熱で融雪される。【選択図】図１
2020181795.tif 000002
【特許請求の範囲】
【請求項１】
黒系のＬＥＤライト（１）等の光源から雪（２）に光を照射（３）し雪に黒系の反射物体色（４）をつくり、その条件下で、そこにそそぐ太陽光（５）は黒系に変化した雪の反射物体色の黒系の作用が光を吸収するため反射（６）屈折が起きず光は直進し雪に侵透し太陽の輻射熱で雪を解かすことができる黒系ＬＥＤライトと太陽の輻射熱との組合せによる融雪システム。
【発明の詳細な説明】
【技術分野】
【０００１】  本発明は、光を用いた融雪に関するもので、黒系ＬＥＤライトにより雪を黒系の反射物体色にそめ光の反射を抑え光を雪面に浸透させ太陽からの輻射熱による融雪を特長とする。
【背景の技術】
【０００２】  太陽光による融雪は、多くの光が雪面で反射され、太陽光が持つ輻射熱が発生せずエネルギーは天空に消えてしまい効果がなくなってしまう。この、太陽光の反射を減らす方法として黒系の布や、黒系の樹脂  シートで雪面を覆い太陽熱の吸収を高め、融雪を行う方法がなされている。
【先行技術文献】
【特許文献】
【０００３】
【特許文献１】特開２０１７−０３７８３９
【発明の概要】
【発明が解決しようとする課題】
【０００４】  黒系ＬＥＤライトによる融雪を目的とした方法が特許文献１に示されているが、これは光源のカバーに、まず発熱部を設け、これにＬＥＤ光源側を黒系に着色した光を当てて、これを発熱部が吸収した熱で付着した雪を解かすものであって、本発明が示す太陽光と黒系ＬＥＤライトの組合せによる融雪は、雪面に直接黒系ＬＥＤライトの光を当てて太陽光を吸収しやすい環境を作り、発生した輻射熱で融雪するもので、雪を解かす熱源が太陽光であることが大きくことなっている。
従来から実施されている黒系シートを用いて太陽光がもたらす熱を吸収し融雪する方法には、次のような欠点があった。
（イ）強風対策としてシートの固定が必要で着脱に手間がかかる。
（ロ）シートの維持管理コストが必要となる。
本発明は、以上のような欠点を無くすためになされたものである。
【課題を解決するための手段】
【０００５】  本発明は、黒系ＬＥＤライト等の光源から雪面を投映し、雪に黒系の反射物体色を作り、その条件下太陽光が進入すると雪が黒系の反射物体色の作用で太陽光が吸収され、屈折反射せず光が直進し雪に浸透し太陽の輻射熱で雪を解かす融雪システムである。
【発明の効果】
【０００６】（イ）黒系色のＬＥＤライト（１）等の簡単な投映装置で太陽光（５）との融合で雪を解かす機構のためシンプルで製作コストが安い。
（ロ）ＬＥＤライト（１）と太陽光（５）との融合で小エネルギー品と自然エネルギーの融合のみのため、まれに少ないエネルギーコストで効果を生む。
（ハ）電源とコードとＬＥＤライト（１）があれば簡単に敷設が可能で常設の橋梁、道路、建物等の備品や付帯品として新たな相乗作用で効果を生む。
（ニ）除雪関連費と除雪関連事故の低減が図れる。
【図面の簡単な説明】
【０００７】
【図１】本発明の正面図である。
【発明を実施するための形態】
【０００８】  以下、本発明の実施の形態について説明する。
本発明は、黒系色を発するＬＥＤライト（１）があり、近隣の雪（２）を照射すると雪の反射物体色（４）は黒系色になる。その条件下注ぐ太陽光（５）は反射物体色（４）で黒系化した雪の為、反射（６）が起きず光が吸収され直進（７）し雪に浸透し太陽の輻射熱で雪を解かす。
【符号の説明】
【０００９】１  ＬＥＤライト
２  雪
３  照射
４  反射物体色
５  太陽光
６  反射
７  直進
【図１】
2020181795.tif 000003
(57)【要約】【課題】  車の扉が開かない状況になったとき、車内のどこの座席に座っている人でも、脱出できるように、シートベルトタングプレートの一端にガラス割り機を設けたガラス割り機つきシートベルトタングプレートを提供する。【解決手段】  シートベルトタングプレート（１）の一端にカバー（２）を設けそのカバー（２）を外すと中からガラス割り機である鋭い突起（３）が現れることを特徴とする。【選択図】図２
2020045082.tif 000002
【特許請求の範囲】
【請求項１】
シートベルトタングプレート（１）の一端にカバー（２）を設け、そのカバー（２）を外すことで中からガラス割り機である鋭い突起（３）が現れる、ガラス割り機つきシートベルトタングプレート。
【発明の詳細な説明】
【技術分野】
【０００１】  この発明は、シートベルトタングプレートの一端にガラス割るための突起を設けたガラス割り機つきシートベルトタングプレートに関するものである。
【背景技術】
【０００２】  従来、車に閉じ込められた時に使用するガラス割り機は車の所有者が用意する必要があった。
【先行技術文献】
【特許文献】
【０００３】
【特許文献１】
【発明の概要】
【発明が解決しようとする課題】
【０００４】  これは、次のような欠点があった。
従来、車が水没および土砂等で扉が開かない状況になったときのために、車の所有者が車内にガラス割り機を用意する必要があった。
しかし必ずしも用意してあるとは限らない。
また、用意してあったとしても、用意した本人しか収納場所が分からず、本人が気を失っている場合や、怪我をしている場合など、同乗者が容易に使えないことがあった。
本発明は、以上のような欠点をなくすためになされたものである。
【課題を解決するための手段】
【０００５】  ガラス割り機とシートベルトタングプレートを組み合わせる。
全てのシートベルトタングプレート（１）の一端にカバー（２）を設けそのカバー（２）を外すことで中からガラス割り機である鋭い突起（３）が現れる。
本発明は、以上の構成よりなるガラス割り機つきシートベルトタングプレートである。
【発明の効果】
【０００６】  ガラス割り機がシートベルトタングプレートと一体になっていて、全てのシートベルトに装備されていることで、ガラス割り機が必要になったときに、探す手間が省ける。
車の所有者もガラス割り機を車内に用意する必要がなくなる。
また、どこのシートに座っている人がガラス割り機を必要になったとしても、それを使用し、素早く脱出することが可能である。
ガラス割り機の鋭い突起は小さく、カバーで覆われているので、シートベルトを使うのになんらさしつかえない。
【図面の簡単な説明】
【０００７】
【図１】  本発明の正面図である。（カバー付き）
【図２】  本発明の正面図である。（カバー外し）
【発明を実施するための形態】
【０００８】  以下、本発明を実施するための形態について説明する。
シートベルトタングプレート（１）の一端に、鋭い突起（３）を設ける。
シートベルトタングプレート（１）の鋭い突起（３）部分をカバー（２）で覆う。
鋭い突起（３）に被るカバー（２）は外れるようにする。
本発明は、以上のような構造である。、、
これを使用するときは、鋭い突起に被ったカバーを外し、シートベルトタングプレートをトンカチ様に握り、車のガラスに振りかざし割ればよい。
【符号の説明】
【０００９】    １  シートベルトタングプレート
２  カバー
３  鋭い突起
【図１】
2020045082.tif 000003
【図２】
2020045082.tif 000004